(57)【特許請求の範囲】
【請求項１】
ナトリウム型ベントナイトおよびカルシウム型ベントナイトを被覆したアオイ科フヨウ属植物のケナフ（ Hibiscus cannabinus Linn. / Hibiscus Sabdariffa Linn. ）片を有効成分とすることを特徴とするペット用排泄物処理剤。
【請求項２】
ナトリウム型ベントナイトおよびカルシウム型ベントナイトと、カルボキシメチルセルロースナトリウム、ポリビニルアルコールまたはポリアクリル酸ナトリウムを被覆したアオイ科フヨウ属植物のケナフ（ Hibiscus cannabinus Linn. / Hibiscus Sabdariffa Linn. ）片を有効成分とすることを特徴とするペット用排泄物処理剤。
【請求項３】
アオイ科フヨウ属植物のケナフ片の短径が０．１ｍｍ〜１０ｍｍでかつ嵩比重が１以下である請求項１または２に記載のペット用排泄物処理剤。
【請求項４】
更に、デンプン−アクリル酸ナトリウムグラフト共重合体架橋物を被覆したものである請求項１ないし３の何れかに記載のペット用排泄物処理剤。
【請求項５】
アオイ科フヨウ属植物のケナフ（ Hibiscus cannabinus Linn. / Hibiscus Sabdariffa Linn. ）片にナトリウム型ベントナイトおよびカルシウム型ベントナイトを被覆せしめることを特徴とするペット用排泄物処理剤の製造方法。
【請求項６】
アオイ科フヨウ属植物のケナフ（ Hibiscus cannabinus Linn. / Hibiscus Sabdariffa Linn. ）片にナトリウム型ベントナイトおよびカルシウム型ベントナイトと、カルボキシメチルセルロースナトリウム、ポリビニルアルコールまたはポリアクリル酸ナトリウムを被覆せしめることを特徴とするペット用排泄物処理剤の製造方法。
【発明の詳細な説明】
【０００１】
【発明の属する技術分野】
本発明は、ペット用排泄物処理剤およびその製造方法に関し、さらに詳しくは、ネコやイヌなどのペットの尿を吸収して容易に固まりを生成し、消臭効果があり、軽量でかつ焼却可能なペット用排泄物処理剤およびその製造方法に関する。
【０００２】
【従来の技術】
ネコやイヌなどのペットの尿を処理するために、従来、砂や新聞紙などの紙類が一般的に使われていたが、近年これらを簡便かつ衛生的に処理するために、多くのトイレ砂と呼ばれる製品が提案されてきた。例えば、ベントナイトおよびパーライトからなるペット用トイレ砂（特開平４−２８７６２６号）、ゼオライト粒の表面にベントナイトを被覆した動物用排泄物処理砂（特開平６−１４６６９号）、モンモリロナイトおよび活性白土を含んでなる組成物成型物からなる小動物用トイレ砂（特開平９−６５７８９号）などが知られている。しかし、このような鉱物質系のトイレ砂は廃棄にあたって焼却処理ができないという欠点を有した。
【０００３】
一方、焼却が可能なものとして、例えば、茶殻に他原料を混合して整型した猫砂（特開平６−７０５１号）、水不溶性の高吸水性樹脂粉末と木粉の混合物を粒状に成形した排泄物処理剤（特開平５−２１１８２５号）、有機物と高吸水性樹脂を混合した主剤に重炭酸カルシウムを添加してなる混合物を造粒したペット用トイレ砂（特開平７−２０３７９３号）、ヤシガラ活性炭を含むチップの表面にポリマーおよび鉱物微粉末を被覆したペット用トイレ砂（特開平７−３２２７８６号）、粉粒状炭化材料と団塊生成剤を添加して造粒したペット用トイレ砂（特開平８−４７３５２号）などが知られている。しかし、これらは本来ペット用排泄物処理剤に要求される、尿を吸収して固まりを生成するという能力が十分でなく、また製造法も煩雑であるといった欠点を有していた。
【０００４】
【発明が解決しようとする課題】
従って本発明の目的は、ペットの尿を吸収して容易に固まりを生成し、消臭効果があり、軽量でかつ焼却可能なペット用排泄物処理剤およびその製造方法を提供することにある。
【０００５】
【課題を解決するための手段】
本発明者らは、ペット用排泄物処理剤に関し鋭意研究した結果、表面に水膨潤性物質を被覆した植物片はペットの尿を効率よく吸収、固定化することができ、消臭効果があると共に焼却可能で処理が容易であるとの知見を得、本発明を完成した。
【０００６】
すなわち、本発明は、水膨潤性物質を被覆した植物片を有効成分とするペット用排泄物処理剤を提供するものである。
【０００７】
また本発明は、植物質片に水膨潤性物質を被覆せしめるペット用排泄物処理剤の製造方法を提供するものである。
【０００８】
【発明の実施の形態】
本発明のペット用排泄物処理剤は、植物質片に水膨潤性物質を被覆せしめたものを有効成分とするものであるが、そのために使用できる植物質片としては、木材、稲籾、稲わら、麦わら、ケナフ、サトウキビ、椰子、バナナ、竹、葦、トウモロコシ芯などがあげられ、中でもケナフ片が好適である。このケナフ（ Hibiscus cannabinus Linn. / Hibiscus Sabdariffa Linn. ）はアオイ科フヨウ属の１年生、双子葉植物であり、熱帯から亜熱帯で栽培される南方型と温帯で栽培される北方型がある。本発明ではいずれのケナフも使用することができる。本発明で使用するケナフ片は、ケナフの茎を皮ごとまたは皮を除いた芯の部分を通常用いられる木材裁断機等で機械的に裁断、破砕、粉砕することにより得られたものである。
【０００９】
通常、これらの植物質片は短径が０．１ｍｍ〜１０ｍｍに裁断、破砕、粉砕された、嵩比重は１以下ものとして使用することが好ましい。また、本発明のペット用排泄物処理剤における植物質片の配合割合は、組成物１００重量部に対して通常１０部〜９５部であり、好ましくは２０部〜８０部である。
【００１０】
一方、上記の植物質片を処理するために使用される水膨潤性物質は、水と接触すると吸水・膨潤する性質を持つ物質をいう。この水膨潤性物質は、例えば、自重の２〜１０００倍の水を吸収することができるような物質であり、鉱物質類、天然物由来あるいは合成の高分子類があげられる。
【００１１】
水膨潤性物質のうち、鉱物質類の例としては、例えばベントナイト、バーミキュライト、珪藻土、ゼオライト、セピオライトなどがあげられ、中でもベントナイトが好ましい。ベントナイトは粘土を構成する代表的な鉱物の一群であり、モンモリロン石群鉱物およびこれを主成分とする鉱物群を意味し、その構造は三層構造をとるフィロケイ酸塩鉱物からなり、交換性陽イオンとしてナトリウム、カルシウム、マグネシウム等を層間に持つ。一般にナトリウム型ベントナイトは膨潤性が高く、カルシウム型ベントナイトはそれよりも低い。本発明において、ベントナイトを使用する場合は、吸水固化性を調節するために、ナトリウム型ベントナイトとカルシウム型ベントナイトを適宜混合して使用することが好ましい。
【００１２】
また、水膨潤性物質のうち、天然物由来あるいは合成の高分子類としては、例えばポリアクリル酸塩、デンプングラフト共重合体（デンプンポリアクリルアマイドグラフト共重合体、デンプンポリアクリル酸グラフト共重合体、デンプンポリ酢酸ビニルグラフト共重合体、デンプンポリアクリルニトリルグラフト共重合体など）、セルロース、カルボキシメチルセルロース、カルボキシメチルセルロースナトリウム、メチルセルロース、ヒドロキシエチルセルロース、ヒドロキシプロピルセルロース、ヒドロキシプロピルメチルセルロース、ポリビニルアルコール、ポリビニルピロリドン、ポリアクリルアミド、ゼラチン、キサンタンガム、デキストリン、アルファー化デンプン、アルギン酸、アルギン酸塩、キチン、キトサンなどがあげられ、中でも吸水力の強さからポリアクリル酸塩、デンプングラフト共重合体が好適である。また、これら水膨潤性物質のうち二種以上を併用して使用することもできる。
【００１３】
これら水膨潤性物質は、粒径０．１μｍ〜１ｍｍの粉末状であることが好ましく、さらに好ましくは粒径１μｍ〜５００μｍである。水膨潤性物質の配合割合は、組成物１００重量部に対して通常５部〜９０部、好ましくは２０部〜８０部である。
【００１４】
本発明のペット用排泄物処理剤は、前記植物質片に上記水膨潤性物質を被覆することにより得られる。植物片に対する水膨潤性物質に被覆は、例えば以下のような方法により行うことができる。すなわち、植物質片と水膨潤性物質を均一に混合した混合物に水を噴霧し、流動または転動しながら乾燥する方法、水膨潤性物質を水または有機溶媒に溶解または懸濁させた溶液を植物質片に噴霧し、流動または転動しながら乾燥する方法、水膨潤性物質を水または有機溶媒に溶解または懸濁させた溶液を植物質片に含浸し、流動または転動しながら乾燥する方法などにより行うことができる。その際、水膨潤性物質が植物質片に被覆されるのであれば、製造機械、方法は特に限定されない。
【００１５】
本発明のペット用排泄物処理剤の調製にあたっては、上記の水膨潤性物質を被覆した植物質片の他に、着色剤、抗菌剤、消臭脱臭剤などを補助的に配合することもできる。
【００１６】
このうち、着色剤としては、β−カロチン、アナトー、クチナシ色素、マリーゴールド色素、パプリカ色素、アカダイコン色素、紅麹色素などの天然色素、アマランス、エリスロシン、ニューコクシン、ローズベンガル、アシッドレッド、タートラジン、サンセットイエローＦＣＦ、ファストグリーンＦＣＦ、ブリリアントブルーＦＣＦ、インジゴカルミン、アルミニウムレーキなどの合成色素、銅クロロフィル、銅クロロフィリンナトリウム、鉄クロロフィリンナトリウムなどの無機顔料などがあげられる。
【００１７】
また、抗菌剤としては、安息香酸ナトリウム、ソルビン酸、ソルビン酸カリウム、塩化ベンザルコニウム、ジデシルジメチルアンモニウムクロライド、銀、銅、カテキンなどのポリフェノール類などがあげられる。更に消臭脱臭剤としては、活性炭、シクロデキストリン、針葉樹あるいは茶などの植物から抽出される天然物などがあげられる。これらの材料の配合割合は、その配合目的によっても異なるが、通常組成物１００重量部に対して０．０１〜３０重量部、好ましくは０．０５〜１０重量部である。
【００１８】
かくして得られる本発明のペット用排泄物処理剤は、家庭等で一般的に広く用いられる方法で使用することができる。すなわち、箱などのペット用トイレに敷きつめて使用される。そして、使用後は焼却等の手段により簡単に処理することができる。
【００１９】
【実施例】
以下、本発明を実施例および試験例を示して具体的に説明するが、本発明はこれらにより何ら制約されるものではない。なお、以下の実施例において、部は重量部を表す。
【００２０】
実 施 例  １
ケナフ片（２〜５ｍｍ）５０部およびナトリウム型ベントナイト（クニゲルＶ１；クニミネ工業製）５０部を流動造粒乾燥機中で混合し、これに水５０部を噴霧しながら８０℃の温風で乾燥して、ペット用排泄物処理剤を得た。
【００２１】
実 施 例  ２
ナトリウム型ベントナイト７０部およびカルシウム型ベントナイト（クニボンド；クニミネ工業製）１０部を水８００部に懸濁させた溶液を調製し、これを流動造粒乾燥機中、ケナフ片（２〜５ｍｍ）２０部に噴霧し、８０℃の温風で乾燥して、ペット用排泄物処理剤を得た。
【００２２】
実 施 例  ３
ナトリウム型ベントナイト４０部およびカルシウム型ベントナイト４０部を水８００部に懸濁させた溶液を調製し、これを流動造粒乾燥機中、細断した木材片（２〜５ｍｍ）２０部に噴霧し、８０℃の温風で乾燥して、ペット用排泄物処理剤を得た。
【００２３】
実 施 例  ４
ナトリウム型ベントナイト３０部、カルシウム型ベントナイト３０部およびカルボキシメチルセルロースナトリウム（第一工業製薬製、商品名：セロゲン７Ａ）５部を水６００部に懸濁させた溶液を調製し、これを流動造粒乾燥機中、ケナフ片（２〜５ｍｍ）３５部に噴霧し、８０℃の温風で乾燥して、ペット用排泄物処理剤を得た。
【００２４】
実 施 例  ５
ナトリウム型ベントナイト３０部、カルシウム型ベントナイト３０部およびポリビニルアルコール（日本合成化学工業製、商品名：ゴーセノールＧＨ−１７Ｓ）５部を水６００部に懸濁させた溶液を調製し、これをケナフ片（２〜５ｍｍ）３５部に噴霧し、８０℃の温風で乾燥して、ペット用排泄物処理剤を得た。
【００２５】
実 施 例  ６
ナトリウム型ベントナイト２５部およびカルシウム型ベントナイト２５部を水５００部に懸濁させた溶液を調製し、これを流動造粒乾燥機中、ケナフ片（２〜５ｍｍ）３０部およびポリアクリル酸ナトリウム（日本触媒製、商品名：アクアリックＩＨ−Ｌ）２０部に噴霧しながら、８０℃の温風で乾燥して、ペット用排泄物処理剤を得た。
【００２６】
実 施 例  ７
ナトリウム型ベントナイト２５部およびカルシウム型ベントナイト２５部を水５００部に懸濁させた溶液を調製し、これを流動造粒乾燥機中、ケナフ片（２〜５ｍｍ）３５部に噴霧し、８０℃の温風で乾燥した。この乾燥物に、流動造粒乾燥機中、デンプン−アクリル酸ナトリウムグラフト共重合体架橋物（三洋化成製、商品名：サンフレッシュＳＴ−１００ＭＰＳ）２０部をメタノール４００部に懸濁させた溶液を噴霧し、４０℃の温風で乾燥して、ペット用排泄物処理剤を得た。
【００２７】
実 施 例  ８
ポリアクリル酸ナトリウム（日本触媒製、商品名：アクアリックＩＨ−Ｌ）３０部をメタノール６００部に懸濁させた溶液をケナフ片（２〜５ｍｍ）７０部に噴霧しながら、流動造粒乾燥機で４０℃の温風で乾燥し、ペット用排泄物処理剤を得た。
【００２８】
実 施 例 ９
デンプン−アクリル酸ナトリウムグラフト共重合体架橋物（三洋化成製、商品名：サンフレッシュＳＴ−１００ＭＰＳ）３０部をメタノール６００部に懸濁させた溶液を調製し、これを流動造粒乾燥機中、ケナフ片（２〜５ｍｍ）７０部に噴霧し、４０℃の温風で乾燥し、ペット用排泄物処理剤を得た。
【００２９】
試 験 例  １
実施例１から９で調製したペット用排泄物処理剤について、次に示す方法により吸水固化性試験、消臭性試験および燃焼性試験を行った。なお比較としては、何の処理もしていないケナフ片（２〜５ｍｍ）（比較例１）、市販のベントナイト破砕粒を用いたペット用排泄物処理剤（比較例２）および市販の紙パルプ含有造粒成型品ペット用排泄物処理剤（比較例３）を用いた。この結果を表１に示す。
【００３０】
（ 吸水固化性試験 ）
１００ｍＬ容ビーカーに、試料を高さ５ｃｍになるように入れ、ホールピペットを用いて２ｃｍ上から１％塩化ナトリウム水溶液１０ｍＬを滴下した。固化した部分の重量を測定し、試料１００に対して吸水固化した水溶液の割合（％）を求めた。
【００３１】
（ 消臭性試験 ）
３００ｍＬ容共栓付フラスコに試料２０ｇを入れ、１０％アンモニア水溶液０．１ｍＬを滴下した。１０分後に官能試験によりアンモニア臭を調べた。
0004629219.tif 000002
【００３２】
（ 燃焼性試験 ）
試料１ｇを磁性皿に少量の紙片とともに入れ、ライターで着火し、燃焼性を調べた。
0004629219.tif 000003
【００３３】
（ 結  果 ）
【表１】
0004629219.tif 000004
【００３４】
【発明の効果】
本発明のペット用排泄物処理剤は、吸水性が高く尿を吸収した際の固まりの生成が良好であることから、後処理が容易でかつ必要以上の排泄物処理剤を除去する必要がなく経済的である。また、消臭性に優れ焼却が可能であるため、衛生的かつ廃棄の簡便性も高い。さらに、軽量であることから運搬も容易である。
以    上